(57)【要約】【課題】光ディスクのパレンタル機能により再生不能を相手に知らせるメッセージを未成年者に確実に理解させることができる再生装置及び再生方法を提供する。【解決手段】再生装置の再生制御情報のレベルとして、複数のレベルから一つのレベルを設定する設定部（１２）と、再生制御情報の複数のレベルに対応する複数のメッセージを用意し、設定部が設定したレベルに対応する一つのメッセージを選択する選択部（１２）と、記録媒体に記録されたデータを読み出す読出部（１４）と、読出部が読み出したデータの再生を行なう再生部（１６，１７）と、読出部が記録媒体の再生制御情報のレベルを読み出すと、設定部で設定した再生装置の再生制御情報のレベルと比較し、比較結果に応じて再生部のデータの再生を中止し、選択部で選択したメッセージを表示させるための画像情報を出力する制御部（１１）をもつ再生装置。【選択図】図１
2009070513.tif 000002
【特許請求の範囲】
【請求項１】
再生装置の再生制御情報のレベルとして、複数のレベルから一つのレベルを設定する設定部と、
前記再生制御情報の複数のレベルに対応する複数のメッセージを用意し、前記設定部が設定したレベルに対応する一つのメッセージを選択する選択部と、
記録媒体に記録されたデータを読み出す読出部と、
前記読出部が読み出したデータの再生を行なう再生部と、
前記読出部が前記記録媒体の再生制御情報のレベルを読み出すと、前記設定部で設定した前記再生装置の再生制御情報のレベルと比較し、比較結果に応じて前記再生部の前記データの再生を中止し、前記選択部で選択したメッセージを表示させるための画像情報を出力する制御部と、を具備することを特徴とする再生装置。
【請求項２】
前記再生部は、前記記録媒体の再生制御情報のレベルと前記再生装置の再生制御情報のレベルとを比較し、前記再生装置の再生制御情報が許すレベルよりも、前記記録媒体の再生制御情報のレベルが高い場合、前記再生部の前記データの再生を中止して、前記選択部で選択したメッセージを表示させるための画像情報を出力することを特徴とする請求項１記載の再生装置。
【請求項３】
前記選択部は、前記再生制御情報の複数のレベルと複数のメッセージを画面上に表示し、前記複数のレベルに前記複数のメッセージを対応付けるための入力信号に従って、前記設定部が設定したレベルに対応する一つのメッセージを選択することを特徴とする請求項１記載の再生装置。
【請求項４】
前記選択部は、前記再生制御情報の複数のレベルのそれぞれに、どの前記複数のメッセージが逐一対応するかを画面上で明確にするための画像情報を生成することを特徴とする請求項３記載の再生装置。
【請求項５】
前記再生制御情報の複数のレベルは、８段階であることを特徴とする請求項１記載の再生装置。
【請求項６】
前記選択部で用いられる複数のメッセージは、画像情報のみのメッセージと文字情報のみのメッセージを含むことを特徴とする請求項１記載の再生装置。
【請求項７】
前記制御部は、与えられる年齢情報とデータベースに応じて、前記再生装置の再生制御情報のレベルを決定し、更に、時間経過に応じて前記年齢情報を更新し、更新した年齢情報とデータベースに応じて前記再生装置の再生制御情報のレベルを更新することを特徴とする請求項１記載の再生装置。
【請求項８】
記録媒体に記録されたデータを読み出す読出部と、
前記記録媒体を識別し、この記録媒体の再生制御情報及びメッセージを設定する媒体設定部と、
前記読出部が読み出したデータの再生を行なう再生部と、
前記読出部が前記記録媒体を再び読み出して、この記録媒体が前記媒体設定部で設定した記録媒体である場合、前記再生部の前記データの再生を中止し、前記設定したメッセージを表示させるための画像情報を出力する制御部と、
を具備することを特徴とする再生装置。
【請求項９】
再生装置の再生制御情報のレベルとして、複数のレベルから一つのレベルを設定し、
前記再生制御情報の複数のレベルに対応する複数のメッセージを用意し、
前記設定したレベルに対応する一つのメッセージを選択し、
記録媒体に記録されたデータと前記記録媒体の再生制御情報のレベルを読み出し、
前記記録媒体の再生制御情報のレベルと前記再生装置の再生制御情報のレベルと比較して比較結果に応じて、前記記録媒体から読み出したデータの再生を中止し、
前記選択したメッセージを表示させることを特徴とする再生方法。
【請求項１０】
前記記録媒体の再生制御情報のレベルと前記再生装置の再生制御情報のレベルとを比較し、前記再生装置の再生制御情報が許すレベルよりも、前記記録媒体の再生制御情報のレベルが高い場合、前記データの再生を中止して、前記選択したメッセージを表示させることを特徴とする請求項９記載の再生方法。
【発明の詳細な説明】
【技術分野】
【０００１】
この発明は、光ディスクの再生制御情報であるパレンタル情報を扱う再生装置に関し、特に、複数レベルのパレンタル情報に対応する複数のメッセージ表示を行なう再生装置及び再生方法に関する。
【背景技術】
【０００２】
最近のディジタル機器の普及に伴い、これらのディジタル機器の状況に応じた操作方法として、ディジタル機器の動作状態を制御する様々な技術が知られている。
【０００３】
特許文献１は、視聴者の位置に応じて動作が制御されているテレビジョンを提供している。すなわち、この技術では、ユーザである個人を認証し、この個人に応じた文字の表示態様を変化させる機能と、メッセージを調整する指令を生成する文字表現調整機能を備える。これにより、認証されたユーザに応じて、ボリューム等の操作情報を文字で画面に表示するテレビジョンを提供している。
【特許文献１】特開２００７−８１６７７号公報
【発明の開示】
【発明が解決しようとする課題】
【０００４】
しかし、特許文献１の従来技術は、テレビジョンの操作につき、個人認証されたユーザに対応して、特に画面上に表示される文字サイズや表記を異ならせるものであるが、光ディスクのコンテンツの再生情報に応じて、保護者が未成年者に対して、有害なコンテンツを視聴できないように制限する機能については、説明されていない。
【０００５】
本発明は、光ディスクのパレンタル機能により再生不能を相手に知らせるメッセージを未成年者に確実に理解させることができる再生装置及び再生方法を提供することを目的とする。
【課題を解決するための手段】
【０００６】
課題を解決するための一実施形態は、
再生装置の再生制御情報のレベルとして、複数のレベルから一つのレベルを設定する設定部（１２）と、
前記再生制御情報の複数のレベルに対応する複数のメッセージを用意し、前記設定部が設定したレベルに対応する一つのメッセージを選択する選択部（１２）と、
記録媒体に記録されたデータを読み出す読出部（１４）と、
前記読出部が読み出したデータの再生を行なう再生部（１６，１７）と、
前記読出部が前記記録媒体の再生制御情報のレベルを読み出すと、前記設定部で設定した前記再生装置の再生制御情報のレベルと比較し、比較結果に応じて前記再生部の前記データの再生を中止し、前記選択部で選択したメッセージを表示させるための画像情報を出力する制御部（１１）と、を具備することを特徴とする再生装置である。
【発明の効果】
【０００７】
パレンタルロックが起きた場合のメッセージ表示について、パレンタルのレベルを参照して、『おうちのひととみましょう』など、未成年者の理解力に応じた表現を容易に選択できることで、未成年者に確実にメッセージを理解させることができる。
【発明を実施するための最良の形態】
【０００８】
以下、この発明の実施の形態について図面を参照して詳細に説明する。
【０００９】
＜本発明の一実施形態である光ディスク装置の一例＞
（構成）
初めに、本発明の一実施形態である光ディスク装置の構成の一例を図１を用いて説明する。図１は、本発明の一実施形態に係る光ディスク再生装置の構成の一例を示すブロック図である。
【００１０】
本発明の一実施形態に係る再生装置１０は、図１に示すように、制御部１１と、パレンタル機能制御部１２と、メッセージ表示処理部１３と、ディスクドライブ１４と、ストレージ１５と、ストリームプロセッサ１６と、デコーダ１７と、グラフィック部１８と、リモコン受信部１９と、ネットワークアダプタ２０と、映像処理部２１と、音声処理部２２を有している。
【００１１】
（各部の動作）
ここで、制御部１１は、装置全体の動作を制御している。更に、パレンタル機能制御部１２は、パレンタルロックを実現する。
【００１２】
このパレンタルロックの機能は、保護者が未成年者に対して、有害なコンテンツを視聴できないように制限する機能である。保護者がパレンタル機能を予め設定しておくと、コンテンツの再生時に、パレンタルレベルに応じた内容のコンテンツを選択的に再生したり、パレンタルロックが働いて視聴を強制的に中止したりできる。パレンタルロックが働いて視聴を強制的に中止した場合、何らかのメッセージを表示することがあるが、その場合、メッセージを受取るのは視聴している未成年者で、一般的な文章では説明は難しい場合が多い。未就学児童を含む年齢層の場合は、文字での説明も難しい。また、義務教育を修学した年齢層の場合は、適度な難易度の文章での説明が必要になる。
【００１３】
そこで、メッセージ表示処理部１３を設け、後述するように、パレンタルロックで制限される対象が年齢層に分けて関連付けてあるため、その年齢層の区分を利用し、対象の年齢層の理解できるメッセージを自動で選択して表示する。特に、未就学児童を含む年齢層向けの説明は、分かりやすい絵やマークを表示することで理解されやすくなる。
【００１４】
更に、ディスクドライブ１４は、例えば、ＨＤ ＤＶＤ等の光ディスクＤをドライブしてデータを読み出す。また、ストレージ１５は、ハードディスクドライブやＵＳＢメモリ等の記憶媒体である。また、ストリームプロセッサ１６は、光ディスクＤから読み出したストリームデータを処理する。また、デコーダ１７は、ストリームデータを例えばＭＰＥＧデコードする。
【００１５】
また、グラフィック部１８は、操作情報等を映像に重畳したりする。また、リモコン受信部１９は、リモコンＲからの操作信号を受信して制御部１１に供給する。また、ネットワークアダプタ２０は、ＬＡＮ等やインターネット等に接続して外部装置とデータ通信を行なう。また、映像処理部２１は、映像信号を後段の図示しないディスプレイに表示可能とするべく映像処理する。また、音声処理部２２は、後段の図示しない外部スピーカ等に音声を再生可能となるべく音声信号を処理する。
【００１６】
＜本発明の一実施形態である光ディスク装置のパレンタル処理の一例＞
次に、上述した本発明の一実施形態である光ディスク装置において、パレンタル処理の一例を図面を用いて説明する。図２は、本発明の一実施形態に係る光ディスク再生装置のパレンタル機能に応じて再生されない際のメッセージ表示処理の一例を示すフローチャートである。図３は、同じく、設定されているパレンタルレベルに応じた異なるメッセージ表示を行なう一例を示すフローチャートである。図４は、同じく、８段階のパレンタルレベルに応じた異なるメッセージ表示を行なう一例を示すフローチャートである。図５は、同じくパレンタル設定画面の一例を示す説明図である。
【００１７】
また、図６は、同じく、幼児向け及び低学年向け及び高学年向けメッセージの一例を説明する説明図である。図７は、同じく、光ディスク登録処理及び光ディスク再生処理の一例を示すフローチャートである。図８は、同じくパレンタル設定画面の一例を示す説明図である。
【００１８】
なお、以下の図２乃至図４、図７及び図１１のフローチャートの各ステップは、回路ブロックに置き換えることができ、従って、各フローチャートのステップは、全てブロックに定義し直すことが可能である。
【００１９】
（パレンタルロック処理）
次に、上述した再生装置のパレンタルロック処理をフローチャートを用いて説明する。再生装置１０は、制御部１１の管理下においてリモコンＲ等で光ディスクＤの再生指示を受けると（ステップＳ１１）、パレンタル機能制御部１２は、初めに、再生装置にパレンタルが設定されているかどうかを判断する（ステップＳ１２）。ここで、パレンタルが設定されていなければ、通常の光ディスクの再生処理を行なう（ステップＳ１６）。
【００２０】
ここで、パレンタル機能制御部１２はパレンタルが設定されていると判断すれば、ディスクドライブ１４を動作させて光ディスクＤから読み取った管理情報から光ディスクのパレンタルのレベルを検出し、再生装置のパレンタルレベルと光ディスクのパレンタルレベルを比較する。そして、再生装置のパレンタルレベルが許す範囲に光ディスクのパレンタルレベルが含まれれば、パレンタル機能制御部１２は再生可能であると判断して、光ディスクを再生させる（ステップＳ１７）。
【００２１】
ここで、再生装置のパレンタルレベルが許す範囲に光ディスクのパレンタルレベルが含まれるというのは、再生装置のパレンタルレベルがレベル３であり、光ディスクのパレンタルレベルがレベル２である場合、また、光ディスクのパレンタルレベルがレベル０である場合等である。
【００２２】
もし、再生装置のパレンタルレベルが許す範囲に光ディスクのパレンタルレベルが含まれていなければ、すなわち、例えば、再生装置のパレンタルレベルがレベル４であり、光ディスクのパレンタルレベルがレベル８である場合、パレンタル機能制御部１２は、光ディスクの再生を停止する（ステップＳ１４）。そして、メッセージ表示処理部１３は、再生装置１０に設定されているパレンタルレベルの高さに応じたメッセージを、複数のメッセージから自動的に選択して表示する（ステップＳ１５）。
【００２３】
すなわち、このパレンタルレベルの高さに応じたメッセージは、一例として、図５に示すような簡易な登録画面でパレンタルレベルの高さに対応して予め用意されているメッセージが記憶領域に格納されており、メッセージ表示処理部１３の働きにより、パレンタルレベルの高さに応じた一つが自動選択されて設定されるものである。
【００２４】
すなわち、一例として、パレンタルレベルが８段階である場合、パレンタルレベル１等の低レベルであれば（ステップＳ２２）、０歳から５歳の未就学児童であるとして、図６の幼児向けメッセージｍ１を自動的に対応させる（ステップＳ２３）。パレンタルレベル２等の中レベルであれば（ステップＳ２４）、６歳から１０歳の低学年児童であるとして、図６の低学年向けメッセージｍ２を自動的に対応させる（ステップＳ２５）。パレンタルレベル３等の高レベルであれば（ステップＳ２６）、１１歳から１５歳の高学年児童であるとして、図６の高学年向けメッセージｍ３を自動的に対応させて表示するものである（ステップＳ２７）。
【００２５】
なお、この場合のレベルに応じたメッセージ表示処理は、図４のフローチャートに示すように８段階に対応させて更に細かく処理することも可能である。
【００２６】
すなわち、一例として、メッセージ表示処理部１３は、プレイヤに設定されているパレンタルレベルを判定する（ステップＳ３１）。そして、メッセージ表示処理部１３は、パレンタルレベル１であれば（ステップＳ３２）、レベル１用のメッセージを自動的に対応させて表示する（ステップＳ３３）。メッセージ表示処理部１３は、パレンタルレベル２であれば（ステップＳ３４）、レベル２用のメッセージを自動的に対応させて表示する（ステップＳ３５）。メッセージ表示処理部１３は、パレンタルレベル３であれば（ステップＳ３６）、レベル３用のメッセージを自動的に対応させて表示する（ステップＳ３７）。メッセージ表示処理部１３は、パレンタルレベル４であれば（ステップＳ３８）、レベル４用のメッセージを自動的に対応させて表示する（ステップＳ３９）。メッセージ表示処理部１３は、パレンタルレベル５であれば（ステップＳ４０）、レベル５用のメッセージを自動的に対応させて表示する（ステップＳ４１）。メッセージ表示処理部１３は、パレンタルレベル６であれば（ステップＳ４２）、レベル６用のメッセージを自動的に対応させて表示する（ステップＳ４３）。メッセージ表示処理部１３は、パレンタルレベル７であれば（ステップＳ４４）、レベル７用のメッセージを自動的に対応させて表示する（ステップＳ４５）。メッセージ表示処理部１３は、パレンタルレベル８であれば（ステップＳ４６）、レベル８用のメッセージを自動的に対応させて表示するものである（ステップＳ４７）。
【００２７】
ここで、メッセージ表示処理部１３は、一例として、どのパレンタルレベルでもないと判断すれば、パレンタルレベルは設定されておらず、メッセージは表示させることなく通常の再生を行なうことも好適である（ステップＳ４８）。
【００２８】
（パレンタルレベル設定処理）
次に、再生装置１０は、このような再生装置の再生制御情報であるパレンタルレベル及びメッセージを以下のような手順で設定する。すなわち、図７のフローチャートに示すように、再生装置１０のパレンタル機能制御部１２は、ユーザのリモコンＲ等の操作に応じて、プレイヤのパレンタルレベルの設定を行なう（ステップＳ５１）。すなわち、パレンタル機能制御部１２は、一例として、図８に示すような設定画面を表示する（ステップＳ５２）。
【００２９】
この図８の設定画面において、再生装置１０のパレンタルレベル及びこのレベルに対応したメッセージを設定するものである。すなわち、一例として、パレンタルレベルが８段階である場合、ユーザは、画面上の例えばアイコン等を操作することで、どのレベルを選択するかを指定する。その上で、例えば、図８中の複数のメッセージＡ，Ｂ，Ｃ…の内の任意のメッセージ、例えば、メッセージ“Ｅ”を、選択したレベル３に対応させるべく入力する。
【００３０】
なお、各レベルに対応する各メッセージは、予めデフォルトで対応付けられており、ユーザが任意にこれを更新するものであることも好適である。
【００３１】
ユーザがこのパレンタルレベル及びメッセージでよいと考えれば、この状態で例えば“決定”を押下することで、パレンタル機能制御部１２は、これを認識する（ステップＳ５３）。すなわち、パレンタル機能制御部１２は、画面上のパレンタルレベルを記憶領域に記憶し（ステップＳ５４）、画面上のパレンタルレベルに対応するメッセージを記憶領域に記憶する（ステップＳ５５）。
【００３２】
このような設定画面を用いる方法により、パレンタルレベル及びメッセージをユーザは任意に選択することができる。従って、パレンタルレベルがレベル２であっても、例えば、一定の文字の理解力を必要とする図６の高学年向けメッセージをユーザの希望で対応させることも可能である。
【００３３】
以上本発明によれば、パレンタルロック機能でコンテンツの視聴が制限される対象は、年齢層に応じたパレンタルレベルが与えられているので、このレベルを利用し、対象の年齢層の理解できる内容のメッセージを自動で選択して案内することが好適である。
【００３４】
特に、未就学児童を含む年齢層向けの説明は、分かりやすい絵やマークを表示することでより理解されやすくなる。
【００３５】
＜本発明の一実施形態である光ディスク装置の光ディスクへのパレンタル登録処理の一例＞
次に、本発明の一実施形態である光ディスク装置の光ディスクへのパレンタル登録処理の一例について、図面を用いて説明する。図９は、本発明の他の一実施形態に係る、光ディスクへのパレンタル登録機能及び経過時間を加味したパレンタル機能をもつ光ディスク再生装置の構成の一例を示すブロック図である。図１０は、同じく、光ディスク登録処理及び光ディスク再生処理の一例を示すフローチャートである。
【００３６】
（構成）
初めに、本発明の一実施形態である光ディスク装置の構成の一例を図９を用いて説明する。図９は、本発明の一実施形態に係る光ディスク再生装置の構成の一例を示すブロック図である。
【００３７】
本発明の一実施形態に係る再生装置１０’は、図９に示すように、制御部１１と、パレンタル機能制御部１２と、メッセージ表示処理部１３と、経過処理部３１と、パレンタル登録部３２と、ハードディスクドライブ３３と、ディスクドライブ１４と、ストレージ１５と、カウンタ３７と、録再信号処理部３８と、ＴＶチューナ３９と、グラフィック部１８と、リモコン受信部１９と、ネットワークアダプタ２０と、映像処理部２１と、音声処理部２２を有している。
【００３８】
（各部の動作）
ここで、図９が示す再生装置１０’は、図１の再生装置１０と略同じ構成をしているので、異なる構成の動作についてのみ、以下に説明する。
【００３９】
経過処理部３１は、後述するように、設定後の時間経過に応じて、パレンタルレベルを自動更新する機能をもつ。また、パレンタル登録部３２は、後述するように、パレンタルが設定されていない光ディスクＤに強制的にパレンタルレベルを登録し、その後の再生時にこの登録したパレンタルレベルに応じてパレンタルロックを行なうものである。
【００４０】
更に、ハードディスクドライブ３３は、コンテンツデータ等を記録し再生する。また、録再信号処理部３８は、光ディスクＤやハードディスクドライブ３３から読み出したストリームデータを処理したり、ストリームデータを例えばＭＰＥＧデコードしたりする。また、ＴＶチューナ３９は、アンテナから受けた放送信号を受信して映像音声信号を出力する。
【００４１】
（光ディスクのパレンタル登録処理の一例）
次に、上述した構成をもつ光ディスク装置において、パレンタルが設定されていない光ディスクについて、光ディスクのパレンタル登録処理及びパレンタルロック処理の一例を、図１０のフローチャートを用いて以下に説明する。図１０は、本発明の一実施形態に係る光ディスク再生装置における光ディスク登録処理及び光ディスク再生処理の一例を示すフローチャートである。
【００４２】
初めに、図１０のフローチャートにおいて、保護者であるユーザがディスクドライブ１４に光ディスクＤを入れると（ステップＳ６０）、ディスクドライブ１４は、光ディスクＤに格納されているデータから管理情報を読み取り（ステップＳ６１）、これを再生する（ステップＳ６２）。
【００４３】
次に、保護者であるユーザがこのディスクをパレンタルロック（再生制御）が必要であると判断すると（ステップＳ６３）、リモコンＲ等を操作して、図６に示すような複数のメッセージを画面表示し、これらのメッセージから希望のメッセージを選択する（ステップＳ６４）。
【００４４】
次に、保護者であるユーザは、リモコンＲ等の操作により、この光ディスクＤに強制的なパレンタルを設定するべく操作する（ステップＳ６５）。これに応じて、パレンタル登録部３２は、この光ディスクのＩＤ及び選択されたメッセージを対応付けてパレンタル登録部３２の記憶領域等に記憶する（ステップＳ６６）。これにより、パレンタル登録部３２の光ディスクのパレンタルの登録処理は完了する（ステップＳ６７）。
【００４５】
次に、保護者であるユーザは、リモコンＲ等を操作して、再生装置１０’がパレンタルロックを行なうとする動作モードの設定を行なう（ステップＳ６８）。これにより、再生装置１０’の制御部１１のパレンタル機能制御部１２は、現在の動作モードを、登録された光ディスクＤのパレンタルに応じてパレンタルロックを行なう動作モードとする。その後、保護者であるユーザは、この光ディスクを取り出す（ステップＳ６９）。
【００４６】
一方、未成年者であるユーザがこの光ディスクＤを入れると（ステップＳ７１）、再生装置１０’のディスクドライブ１４及び制御部１１は、この光ディスクＤの管理情報を読む（ステップＳ７２）。そして、パレンタル機能制御部１２及びパレンタル登録部３２は、管理情報であるディスクＩＤをパレンタル登録部３２の記憶領域等から読み出し、この光ディスクが先に登録されたディスクであるかどうかを確認する（ステップＳ７３）。
【００４７】
そして、パレンタル機能制御部１２及びパレンタル登録部３２が、この光ディスクが
登録済みであると判断すれば（ステップＳ７４）、パレンタル機能制御部１２は、この光ディスクの再生を停止する（ステップＳ８０）。それと同時に、先にＩＤに対応させてパレンタル登録部３２の記憶領域等に記憶されていたメッセージを画面表示するための画像情報を生成して出力する（ステップＳ８１）。
【００４８】
この結果、未成年者であるユーザは、メッセージによりこの光ディスクを視聴できないことを知り、この光ディスクを視聴できないこととなる（ステップＳ８２）。
【００４９】
しかし、パレンタル機能制御部１２及びパレンタル登録部３２は、この光ディスクに強制的なパレンタル情報が登録済みではないと判断すれば（ステップＳ７４）、パレンタル機能制御部１２は、今度は、通常の光ディスクのパレンタル情報の有無を確認する（ステップＳ７５）。そして、パレンタル情報があれば（ステップＳ７６）、図２乃至図４のフローチャートで上述した通常のパレンタル機能を用いた再生を行なう（ステップＳ７７）。
【００５０】
一方、パレンタル機能制御部１２及びパレンタル登録部３２は、パレンタル情報無しと判断すれば（ステップＳ７６）、通常の光ディスクの再生処理を行なう（ステップＳ７８）。これにより、未成年者であるユーザは、光ディスクの視聴が可能となる（ステップＳ７９）。
【００５１】
以上に説明したように、光ディスクにメーカ等で予め設定されたパレンタル情報がない場合でも、強制的に光ディスクのＩＤに対応させて、再生装置１０’側でこれらの制御情報を記憶部に記憶させることができる。これにより、予め設定されたパレンタル情報がない光ディスクについても、再生制御処理を行なうことが可能となる。
【００５２】
また、この光ディスクへの強制的なパレンタル登録処理において、パレンタルレベルは設定されなかったが、パレンタルレベルをともなう実施形態であっても好適である。この場合は、設定したパレンタルレベルと、再生装置側のパレンタルレベルとの比較結果に応じて、パレンタルロックを適宜行なうこととなる。また、メッセージについても、レベルに対応させて自動的にまたは任意に表示させることが好適である。
【００５３】
＜本発明の一実施形態である再生装置の経過処理を伴うパレンタル処理の一例＞
次に、本発明の一実施形態である再生装置の経過処理を伴うパレンタル処理の一例を図面を用いて、以下に説明する。図１１は、本発明の他の一実施形態に係る光ディスク再生装置の成長機能をもったパレンタル設定画面の一例を示す説明図である。図１２は、同じく、成長機能を伴うパレンタル機能に応じて再生されない際のメッセージ表示処理の一例を示すフローチャートである。図１３は、同じく、成長機能を伴うパレンタル機能で用いられるパレンタタルレベルと年齢との対応の一例を示す対応表（データベース）である。
【００５４】
初めに、再生装置１０’において、例えば、図１１に示すパレンタル設定画面において、画面成長“有”等の設定を行なうことにより、記憶領域に記憶された制御情報として成長設定が設定される。
【００５５】
この設定画面は、図１２に示すように、一例として、設定日時と、パレンタルレベルと、画面成長の有無と、保護されるべきユーザの年齢を設定する。一例として、保護されるべきユーザの年齢を入力することで、図１３のデータベースに基づいて、パレンタルレベルが一義的に決定されることも好適であるが、ユーザが任意にパレンタルレベルを与えることも可能である。
【００５６】
制御部１１の経過処理部３１は、図１２のフローチャートに示されるように、この制御情報の有無により、成長設定を識別する（ステップＳ９１）。再生装置１０’のパレンタル機能制御部１２は、成長設定を識別すると、設定された日時と現在の日時とに基づいて、経過時間を計算する（ステップＳ９２）。そして、制御部１１の経過処理部３１は、図１３に示すような成長機能を伴うパレンタル機能で用いられるパレンタタルレベルと年齢との対応の一例を示す対応表（データベース）に基づいて、計算で求められた経過時間は、レベルを更新するための時間を越えているかどうかを判断する（ステップＳ９３）。
【００５７】
すなわち、一例として、図１１の設定画面により、設定日時２００８年８月１日にて、年齢９歳が設定されており、この年齢９歳に応じて、図１３の対応表（データベース）に基づいて、パレンタルレベルが“２”と自動設定された場合を考える。
【００５８】
設定画面の設定日時２００８年８月１日から丁度２年を経過した２０１０年８月１日において、制御部１１の経過処理部３１は、ユーザの推定年齢を９歳から１１歳に自動更新し、これに伴い、対応表（データベース）に基づいて、パレンタルレベル“２”がパレンタルレベル“３”に自動更新されるものである（ステップＳ９４）。このように自動更新されたパレンタルレベルは、上述したパレンタルロック処理に用いられるものである。
【００５９】
ここで、制御部１１の経過処理部３１の働きにより、年齢の自動更新や、パレンタルレベルの自動更新等がなされる毎に、この自動更新があったことを、画面上に表示することが好適である（ステップＳ９５）。
【００６０】
以上のような働きにより、パレンタルレベルの設定について、時間が経過する毎にユーザが逐一、情報を更新することなく、制御部１１の経過処理部３１の働きにより、適切なレベルに更新することで、ユーザに便利な機能を提供することができる。
【００６１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６２】
【図１】本発明の一実施形態に係る光ディスク再生装置の構成の一例を示すブロック図。
【図２】本発明の一実施形態に係る光ディスク再生装置のパレンタル機能に応じて再生されない際のメッセージ表示処理の一例を示すフローチャート。
【図３】同じく、設定されているパレンタルレベルに応じた異なるメッセージ表示を行なう一例を示すフローチャート。
【図４】本発明の一実施形態に係る光ディスク再生装置において、８段階のパレンタルレベルに応じた異なるメッセージ表示を行なう一例を示すフローチャート。
【図５】本発明の一実施形態に係る光ディスク再生装置のパレンタル設定画面の一例を示す説明図。
【図６】本発明の一実施形態に係る光ディスク再生装置における、幼児向け及び低学年向け及び高学年向けメッセージの一例を説明する説明図。
【図７】本発明の一実施形態に係る光ディスク再生装置において、光ディスク登録処理及び光ディスク再生処理の一例を示すフローチャート。
【図８】本発明の一実施形態に係る光ディスク再生装置のパレンタル設定画面の一例を示す説明図。
【図９】本発明の他の一実施形態に係る、光ディスクへのパレンタル登録機能及び経過時間を加味したパレンタル機能をもつ光ディスク再生装置の構成の一例を示すブロック図。
【図１０】本発明の一実施形態に係る光ディスク再生装置における光ディスク登録処理及び光ディスク再生処理の一例を示すフローチャート。
【図１１】本発明の他の一実施形態に係る光ディスク再生装置の成長機能をもったパレンタル設定画面の一例を示す説明図。
【図１２】本発明の一実施形態に係る光ディスク再生装置の成長機能を伴うパレンタル機能に応じて再生されない際のメッセージ表示処理の一例を示すフローチャート。
【図１３】本発明の一実施形態に係る光ディスク再生装置の成長機能を伴うパレンタル機能で用いられるパレンタタルレベルと年齢との対応の一例を示す対応表。
【符号の説明】
【００６３】
１０…再生装置、１１…制御部、１２…パレンタル機能制御部、１３…メッセージ表示設定処理部、１４…ディスクドライブ、１５…ストレージ、１６…ストリームプロセッサ、１７…デコーダ、１８…グラフィック部、１９…リモコン受信部、２０…ネットワークアダプタ、２１…映像処理部、２２…音声処理部。
【図１】
2009070513.tif 000003
【図２】
2009070513.tif 000004
【図３】
2009070513.tif 000005
【図４】
2009070513.tif 000006
【図５】
2009070513.tif 000007
【図６】
2009070513.tif 000008
【図７】
2009070513.tif 000009
【図８】
2009070513.tif 000010
【図９】
2009070513.tif 000011
【図１０】
2009070513.tif 000012
【図１１】
2009070513.tif 000013
【図１２】
2009070513.tif 000014
【図１３】
2009070513.tif 000015